(57)【特許請求の範囲】
【請求項１】
音声データ形成部から得られる音声データに応じた送信データ信号を送受信アンテナ部を通じて送出する送信処理部と、
上記送受信アンテナ部を通じて得られる外部データ信号に基づく再生音声データを音声再生部に供給する受信処理部と、
地図データが格納される地図データメモリ部と、
画像表示部と、
上記送信処理部及び受信処理部についての動作制御と上記再生音声データに基づいて得られる再生音声のレベル設定状態の切換えとを行うとともに、上記地図データメモリ部から該地図データメモリ部に格納された地図データが読み出され、上記画像表示部により、上記地図データメモリ部から読み出された地図データがあらわす地図についての画像表示が行われる状態を設定する制御部と、
上記画像表示部に電話操作用画面と地図表示画面とを選択的に得るべく操作される画面切替操作部と、
を備え、
上記制御部による上記再生音声のレベル設定状態の切換えが、上記画像表示部に上記電話操作用画面と地図表示画面とが選択的に得られる状態を設定するための上記画面切替操作部の操作と連動して行われることを特徴とする画像表示部付携帯電話装置。
【請求項２】
上記地図データメモリ部が、格納される地図データの更新が可能とされるものであることを特徴とする請求項１記載の画像表示部付携帯電話装置。
【請求項３】
現在位置を検出し、検出された現在位置をあらわす現在位置データを送出する位置検出部が設けられ、上記制御部が、上記画像表示部により、上記位置検出部から得られる現在位置データがあらわす現在位置についての画像表示が行われる状態を設定することを特徴とする請求項１記載の画像表示部付携帯電話装置。
【請求項４】
上記受信処理部が、上記送受信アンテナ部を通じて得られる外部データ信号に基づく外部位置データを導出し、上記制御部が、上記画像表示部により、上記外部位置データに対応する位置についての画像表示が行われる状態を設定することを特徴とする請求項１，２または３記載の画像表示部付携帯電話装置。
【請求項５】
上記制御部が、上記画像表示部において画像表示される地図の縮尺を変更できる機能を備えることを特徴とする請求項１，２，３または４記載の画像表示部付携帯電話装置。
【請求項６】
上記制御部が、上記画像表示部において画像表示された地図上において選択された位置についての位置データが得られ、該位置データに応じた送信データ信号が上記送信処理部及び送受信アンテナ部を通じて送出される状態を設定することを特徴とする請求項１，２，３または４記載の画像表示部付携帯電話装置。
【請求項７】
上記位置検出部から得られる現在位置データに応じた送信データ信号が上記送信処理部及び送受信アンテナ部を通じて送出される状態を設定するための位置データ送信操作部が設けられたことを特徴とする請求項１，２，３または４記載の画像表示部付携帯電話装置。
【請求項８】
上記外部位置データに応じた外部データ信号の送信を要求する送信要求データに応じた送信データ信号が上記送信処理部及び送受信アンテナ部を通じて送出される状態を設定するための位置データ要求操作部が設けられたことを特徴とする請求項１，２または３記載の画像表示部付携帯電話装置。
【請求項９】
電話番号データが格納される電話番号データメモリ部が備えられ、上記制御部が、上記電話番号データメモリ部から該電話番号データメモリ部に格納された電話番号データのうちの選択されたものが読み出され、該読み出された電話番号データがあらわす電話番号に対する呼出しが行われる状態を設定することを特徴とする請求項１記載の画像表示部付携帯電話装置。
【請求項１０】
上記制御部が、上記電話番号データメモリ部に格納された電話番号データのうちの選択されたものの読出しが、上記画像表示部において画像表示された地図上において選択された位置に応じて行われる状態を設定することを特徴とする請求項９記載の画像表示部付携帯電話装置。
【発明の詳細な説明】
【発明の属する技術分野】
【０００１】
本発明は、比較的小型な画面を形成する画像表示部が設けられ、電話信号についての無線送受信を行う機能を具えた画像表示部付携帯電話装置に関する。
【０００２】
【従来の技術】
車両についての路上走行補助システムを成すナビゲーション装置を車両に装備することが普及しつつあるが、このような車両用のナビゲーション装置は、通常、車両の乗員に対する情報提供を視覚的に行うための画像表示部を具えている。そして、ナビゲーション装置が備える画像表示部においては、当該ナビゲーション装置が装備された車両の走行エリアを含んだ地図が表示されるとともに、その表示された地図上に重ねて、車両の現在位置，目的地，現在位置から目的地までの通過予定経路等の種々の情報が表示される状態がとられ、車両の乗員が、画像表示部における表示に従って車両を目的地まで走行させることができるようにされる。このようなナビゲーション装置において、小型・軽量化が図られ、車両から外した状態のもとにおいても、位置検出機能あるいは地図情報提供機能を果たすことができる携帯型のものも普及してきている。
【０００３】
また、データ信号の送受信を行う機能を具えていて送受話の用に供される電話機の分野において、送受話用のデータ信号である電話信号の送受信をアンテナを通じた無線通信により行うものとして小型・軽量化が図られた、例えば、ディジタルコードレス方式をとる携帯電話装置が普及してきている。斯かる携帯電話装置にあっても、通常、画像表示部が備えられていて、その画像表示部において電話番号，時間等の種々の情報が表示されるようになすことが可能とされる。
【０００４】
このような電話信号の無線送受信を行う携帯電話装置の利用の形態として、例えば、その使用者が、地理的に不案内である地域における目的地に向かうに際し、携帯電話装置によってその目的地を含む地域の地理に詳しい者と連絡をとり、その者による目的地までの道案内を、携帯電話装置を用いた送受話によって得るようになすことが挙げられる。
【０００５】
【発明が解決しようとする課題】
しかしながら、上述の如くに携帯電話装置を用いた送受話を通じての道案内が行われるにあたっては、道案内をする者と道案内を受ける者との間で対象地域に関する地理についての認識の相違があり、両者のうちの一方のから他方への情報伝達が、いたずらに時間を要することになって効率的に進まない、あるいは、誤解を伴ってなされてしまい、目的地に向かう者が容易に目的地に到達できないという事態がしばしばまねかれる。このようなことは、道案内をする者が当該地域に関して極めて詳細な知識を有しているもとにおいても、往々にして生じるところとなる。
【０００６】
斯かる事態の発生は、道案内をする者と道案内を受ける者との両者間における相互情報伝達が、聴覚的情報伝達である送受話によってのみ行われるからであり、仮に、送受話に加えて視覚的情報伝達がなされるとすれば、両者間における地理についての認識の相違の度合いが低減されて、道案内が効率良く行われることになる。そこで、携帯電話装置を、例えば、前述された携帯型のナビゲーション装置の如くに、地図情報提供機能を具えるもの、さらには、位置検出機能をも具えるものとなし、少なくとも、道案内を受ける者が地図情報の提供を受けることができるようにすれば、道案内を受ける者が、地図情報に基づく地図を参照することにより、道案内をする者から視覚的情報を受けることができる状態におかれることになる。従って、少なくとも携帯型のナビゲーション装置が具える如くの地図情報提供機能を具えた携帯電話装置の実現が望まれるところであるが、従前にあってはこのような要望に応える装置は見当たらない。
【０００７】
斯かる点に鑑み、本願の特許請求の範囲における請求項１から１０までのいずれかに記載された発明は、送受話用のデータ信号である電話信号の送受信をアンテナを通じた無線通信により行えるとともに、画像表示部を備えていてその画像表示部により地図情報を視覚的情報として提供することができ、さらに、画像表示部において電話操作用画面と地図表示画面とを選択的に得ることができる画像表示部付携帯電話装置を提供する。
【０００８】
特に、本願の特許請求の範囲における請求項３に記載された発明は、電話信号の送受信を行えるとともに、画像表示部により地図情報を視覚的情報として提供すること及び画像表示部において電話操作用画面と地図表示画面とを選択的に得ることができるだけでなく、画像表示部においてその現在位置をあらわす画像表示も行うことができる画像表示部付携帯電話装置を提供し、本願の特許請求の範囲における請求項４に記載された発明は、電話信号の送受信を行えるとともに、画像表示部により地図情報を視覚的情報として提供すること及び画像表示部において電話操作用画面と地図表示画面とを選択的に得ることができるだけでなく、画像表示部において外部位置データに対応する位置をあらわす画像表示も行うことができる画像表示部付携帯電話装置を提供する。
【０００９】
また、特に、本願の特許請求の範囲における請求項６に記載された発明は、電話信号の送受信を行えるとともに、画像表示部により地図情報を視覚的情報として提供すること及び画像表示部において電話操作用画面と地図表示画面とを選択的に得ることができるだけでなく、画像表示部において表示された地図上の位置についての位置データを得ることができるとともに、得られた位置データをアンテナを通じて無線送信することができる画像表示部付携帯電話装置を提供する。
【００１１】
【課題を解決するための手段】
本願の特許請求の範囲における請求項１もしくは２に記載された発明に係る画像表示部付携帯電話装置は、音声データ形成部から得られる音声データに応じた送信データ信号を送受信アンテナ部を通じて送出する送信処理部と、送受信アンテナ部を通じて得られる外部データ信号に基づく再生音声データを音声再生部に供給する受信処理部と、地図データが格納される地図データメモリ部と、画像表示部と、送信処理部及び受信処理部についての動作制御と再生音声データに基づいて得られる再生音声のレベル設定状態の切換えとを行うとともに、地図データメモリ部からそれに格納された地図データが読み出され、画像表示部により、地図データメモリ部から読み出された地図データがあらわす地図についての画像表示が行われる状態を設定する制御部と、画像表示部に電話操作用画面と地図表示画面とを選択的に得るべく操作される画面切替操作部とを備えて構成され、制御部による再生音声のレベル設定状態の切換えが、画像表示部に電話操作用画面と地図表示画面とが選択的に得られる状態を設定するための画面切替操作部の操作と連動して行われる。
【００１２】
このように構成される請求項１もしくは２に記載された発明に係る画像表示部付携帯電話装置にあっては、送信処理部と受信処理部とによって、音声データに応じた送信データ信号の送受信アンテナ部を通じた無線送信と、送受信アンテナ部を通じて得られる外部データ信号に基づく再生音声データを得る無線受信とが行われるとともに、地図データメモリ部と画像表示部と制御部とにより、地図データメモリ部に格納された地図データがあらわす地図の画像表示が行われる。さらに、画面切替操作部の操作に応じて、画像表示部に電話操作用画面が形成される状態と画像表示部に地図表示画面が形成される状態とが選択的に得られ、斯かる画面切替操作部の操作に連動して、制御部による、再生音声データに基づいて得られる再生音声のレベル設定状態の切換えが行われる。従って、請求項１もしくは２に記載された発明に係る画像表示部付携帯電話装置によれば、音声データに応じた送信データ信号及び外部データ信号とされる電話信号の送受信が行われるとともに、画像表示部により地図情報が視覚的情報として提供されるだけでなく、その全体が使用者により保持されて、使用者に近接せしめられて使用される場合、及び、その全体が使用者により保持されることなく、使用者から離隔せしめられて使用される場合のいずれにおいても、電話信号の送受信が適正に行われる。
【００１３】
本願の特許請求の範囲における請求項３に記載された発明に係る画像表示部付携帯電話装置は、請求項１もしくは２に記載された発明に係る画像表示部付携帯電話装置の構成に加えて、現在位置を検出して現在位置データを送出する位置検出部が設けられ、制御部が、画像表示部により、位置検出部から得られる現在位置データがあらわす現在位置についての画像表示が行われる状態を設定するものとされる。このような請求項３に記載された発明に係る画像表示部付携帯電話装置にあっては、電話信号の送受信が行われるとともに、画像表示部により地図情報が視覚的情報として提供され、さらに、画像表示部に電話操作用画面と地図表示画面とが選択的に得られる状態を設定するための画面切替操作部の操作に連動して再生音声データに基づいて得られる再生音声のレベル設定状態の切換えが行われるだけでなく、画像表示部においてその現在位置をあらわす画像表示も行われる。
【００１４】
本願の特許請求の範囲における請求項４に記載された発明に係る画像表示部付携帯電話装置は、請求項１もしくは２に記載された発明に係る画像表示部付携帯電話装置の構成を備えたもとで、受信処理部が、送受信アンテナ部を通じて得られる外部データ信号に基づく外部位置データを導出し、制御部が、画像表示部により、外部位置データに対応する位置についての画像表示が行われる状態を設定するものとされる。このような請求項４に記載された発明に係る画像表示部付携帯電話装置にあっては、電話信号の送受信が行われるとともに、画像表示部により地図情報が視覚的情報として提供され、さらに、画像表示部に電話操作用画面と地図表示画面とが選択的に得られる状態を設定するための画面切替操作部の操作に連動して再生音声データに基づいて得られる再生音声のレベル設定状態の切換えが行われるだけでなく、画像表示部において外部位置データに対応する位置をあらわす画像表示も行われる。
【００１５】
本願の特許請求の範囲における請求項５に記載された発明に係る画像表示部付携帯電話装置は、請求項１もしくは２に記載された発明に係る画像表示部付携帯電話装置の構成を備えたもとで、制御部が、画像表示部において画像表示される地図の縮尺を変更できる機能を備えるものとされる。このような請求項５に記載された発明に係る画像表示部付携帯電話装置にあっては、電話信号の送受信が行われるとともに、画像表示部により地図情報が視覚的情報として提供され、さらに、画像表示部に電話操作用画面と地図表示画面とが選択的に得られる状態を設定するための画面切替操作部の操作に連動して再生音声データに基づいて得られる再生音声のレベル設定状態の切換えが行われるだけでなく、画像表示部における地図の表示範囲の調整が可能とされ、それにより、例えば、画像表示部における地図の画像表示に重ねての現在位置をあらわす画像表示，外部位置データに対応する位置をあらわす画像表示等が、確実に行われる状態が得られる。
【００１６】
本願の特許請求の範囲における請求項６に記載された発明に係る画像表示部付携帯電話装置は、請求項１もしくは２に記載された発明に係る画像表示部付携帯電話装置の構成を備えたもとで、制御部が、画像表示部において画像表示された地図上において選択された位置についての位置データが得られて、その位置データに応じた送信データ信号が送信処理部及び送受信アンテナ部を通じて送出される状態を設定するものとされる。このような請求項６に記載された発明に係る画像表示部付携帯電話装置にあっては、電話信号の送受信が行われるとともに、画像表示部により地図情報が視覚的情報として提供され、さらに、画像表示部に電話操作用画面と地図表示画面とが選択的に得られる状態を設定するための画面切替操作部の操作に連動して再生音声データに基づいて得られる再生音声のレベル設定状態の切換えが行われるだけでなく、画像表示部において画像表示された地図上の任意に選択された位置に対応する位置データについての無線送信が行われる。
【００１９】
本願の特許請求の範囲における請求項７に記載された発明に係る画像表示部付携帯電話装置は、請求項１もしくは２に記載された発明に係る画像表示部付携帯電話装置の構成に加え、位置検出部から得られる現在位置データに応じた送信データ信号が送信処理部及び送受信アンテナ部を通じて送出される状態を設定するための位置データ送信操作部が設けられて構成される。このような請求項７に記載された発明に係る画像表示部付携帯電話装置にあっては、電話信号の送受信が行われるとともに、画像表示部により地図情報が視覚的情報として提供され、さらに、画像表示部に電話操作用画面と地図表示画面とが選択的に得られる状態を設定するための画面切替操作部の操作に連動して再生音声データに基づいて得られる再生音声のレベル設定状態の切換えが行われるだけでなく、位置データ送信操作部の操作に応じて、装置の現在位置をあらわす現在位置データについての無線送信が行われる。
【００２０】
本願の特許請求の範囲における請求項８に記載された発明に係る画像表示部付携帯電話装置は、請求項１もしくは２に記載された発明に係る画像表示部付携帯電話装置の構成に加え、外部位置データに応じた外部データ信号の送信を要求する送信要求データに応じた送信データ信号が送信処理部及び送受信アンテナ部を通じて送出される状態を設定するための位置データ要求操作部が設けられて構成される。このような請求項８に記載された発明に係る画像表示部付携帯電話装置にあっては、電話信号の送受信が行われるとともに、画像表示部により地図情報が視覚的情報として提供され、さらに、画像表示部に電話操作用画面と地図表示画面とが選択的に得られる状態を設定するための画面切替操作部の操作に連動して再生音声データに基づいて得られる再生音声のレベル設定状態の切換えが行われるだけでなく、位置データ要求操作部の操作に応じて、外部に対しての外部位置データに応じた外部データ信号の送信要求がなされる。
【００２１】
本願の特許請求の範囲における請求項９または１０に記載された発明に係る画像表示部付携帯電話装置は、請求項１もしくは２に記載された発明に係る画像表示部付携帯電話装置の構成に加えて、電話番号データが格納される電話番号データメモリ部が備えられ、制御部が、電話番号データメモリ部からそれに格納された電話番号データのうちの選択されたものが読み出され、読み出された電話番号データがあらわす電話番号に対する呼出しが行われる状態を設定するものとされる。このような請求項９または１０に記載された発明に係る画像表示部付携帯電話装置にあっては、電話信号の送受信が行われるとともに、画像表示部により地図情報が視覚的情報として提供され、さらに、画像表示部に電話操作用画面と地図表示画面とが選択的に得られる状態を設定するための画面切替操作部の操作に連動して再生音声データに基づいて得られる再生音声のレベル設定状態の切換えが行われるだけでなく、例えば、画像表示部において画像表示された地図上の位置が選択されるとき、その選択された位置に対応する電話番号データが電話番号データメモリ部から読み出されて、その電話番号データがあらわす電話番号に対する呼出しが可能とされる状態が設定される。
【００２２】
【発明の実施の形態】
図２及び図３は、本願の特許請求の範囲における請求項１から１０までのいずれかに記載された発明に係る画像表示部付携帯電話装置の一例の外観を示す。図２及び図３に示される例は、比較的小型とされて使用者が片手で容易に把持することができるケース部１１を備えており、ケース部１１には、その長手方向における一端部側にマイクロフォン格納部１２が設けられるとともに他端部側にスピーカ格納部１３が設けられ、また、マイクロフォン格納部１２とスピーカ格納部１３との間に画像表示部１４が設けられている。
【００２３】
画像表示部１４は、例えば、平面状の液晶表示パネルが用いられて構成され、液晶表示パネルの表面は透明なタッチパネル部１５によって覆われている。そして、画像表示部１４においては、後述されるように、図２に示される如くの電話操作用画面を形成する状態と、図３に示される如くの地図表示画面を形成する状態とが選択的にとられる。
【００２４】
また、ケース部１１には、各種の操作部１６，１７及び１８が設けられており、さらに、ケース部１１からは、送受信アンテナ１９及び後述されるＧＰＳ用アンテナ２０が突出している。
【００２５】
図１は、本願の特許請求の範囲における請求項１から１０までのいずれかに記載された発明に係る画像表示部付携帯電話装置の一例であって、図２及び図３に示されるケース部１１を備えたものにおける、ケース部１１に収容された各部の構成を示す。
【００２６】
図１に示される例においては、各部の動作制御を行う制御部を形成する制御ユニット２１が備えられており、制御ユニット２１は、例えば、マイクロコンピュータが用いられて構成される。そして、制御ユニット２１には、映像信号形成部２２を介して、画像表示部１４が接続されており、また、画像表示部１４に付随するタッチパネル部１５が直接に接続されている。
【００２７】
画像表示部１４は、映像信号形成部２２から供給される映像信号ＳＶに応じて、電話操作用画面を形成する画像表示を行う状態と地図表示画面を形成する画像表示を行う状態とをとり、地図表示画面を形成する画像表示を行う状態をとるもとにあっては、さらに、映像信号形成部２２から供給されるカーソル映像信号ＳＣＳに基づくカーソル表示も行う。タッチパネル部１５からは、それに対する接触操作に応じて操作出力信号ＳＵが送出され、それが制御ユニット２１に供給される。
【００２８】
制御ユニット２１には、入力操作部２５が接続されており、この入力操作部２５は、図２及び図３に示される操作部１６，１７及び１８を含むものとされる。また、制御ユニット２１に接続されたタッチパネル部１５には、画面切替操作部２６，位置データ送信操作部２７及び位置データ要求操作部２８が含まれている。画面切替操作部２６は、図２に示される如くに、画像表示部１４において電話操作用画面が得られているもとで、画像表示部１４内に現れる操作キー（“Map" と表示されている) に対応するタッチパネル部１５の部分として形成されるとともに、図３に示される如くに、画像表示部１４において地図表示画面が得られているもとで、画像表示部１４内に現れる操作キー（“Tel" と表示されている) に対応するタッチパネル部１５の部分として形成される。さらに、位置データ送信操作部２７及び位置データ要求操作部２８は、図３に示される如くに、画像表示部１４において地図表示画面が得られているもとで、画像表示部１４内に現れる操作キーに対応するタッチパネル部１５の部分として形成される。
【００２９】
そして、図１に示される例にあっては、入力操作部２５あるいは画面切替操作部２６が操作されることにより、その操作に応じた入力操作部２５からの操作入力データＤＫあるいはタッチパネル部１５からの操作出力信号ＳＵが制御ユニット２１に供給され、その操作入力データＤＫあるいは操作出力信号ＳＵに応じて、例えば、ディジタル・セルラ電話システムにおけるローカル無線電話局との間において電話信号の送受信が行われる通話交信動作、及び、画像表示部１４により地図情報が視覚的情報として提供される地図情報提供動作が行われるとともに、それに伴って、画像表示部１４において電話操作用画面が得られる状態と画像表示部１４において地図表示画面が得られる状態とが選択的にとられる。
【００３０】
通話交信動作が行われる状態は、入力操作部２５に含まれている、図２及び図３において操作部１６として示される電源操作部が操作され、電源オン状態とされることにより、あるいは、図３に示される如くに、画像表示部１４において地図表示画面が得られているもとで、画像表示部１４内に形成される操作キー（“Tel" と表示されている) とされた画面切替操作部２６が操作されることによって設定される。画面切替操作部２６が操作されて通話交信動作が行われる状態が取られる場合には、タッチパネル部１５から制御ユニット２１に、通話交信動作を指示するものとされた操作出力信号ＳＵが供給される。
【００３１】
通話交信動作が行われる状態がとられたもとにあっては、制御ユニット２１から映像信号形成部２２に、電話操作用画面に対応するものとされた画面切替制御信号ＣＶとタッチ操作用データＤＴＰとが供給される。映像信号形成部２２においては、電話操作用画面に対応するものとされた画面切替制御信号ＣＶに応じて、電話操作用画面を表示するための映像信号が形成される状態がとられたもとで、タッチ操作用データＤＴＰに基づく映像信号ＳＶが、電話操作用画面を形成するための映像信号として形成される。そして、映像信号形成部２２から得られるタッチ操作用データＤＴＰに基づく映像信号ＳＶが画像表示部１４に供給される。それにより、画像表示部１４において、図２に示される如くの電話操作用画面を形成する画像表示が行われる。
【００３２】
斯かる際には、タッチパネル部１５の内側において複数の操作キーの表示が行われ、各操作キーに対応するタッチパネル部１５の部分に対する接触操作が行われることにより、タッチパネル部１５から、接触操作が行われたタッチパネル部１５の部分に対応する操作キーに応じた操作出力信号ＳＵが得られて、それが制御ユニット２１に供給される。
【００３３】
そして、タッチパネル部１５の操作に基づいて、例えば、ディジタル・セルラ電話システムにおけるローカル無線局との交信状態が設定され、ローカル無線局からの音声データに応じた送信データ信号である電話信号ＳＤＲが、送受信アンテナ１９を通じて無線受信され、さらに、送受分波器３１を通じて受信部３２に供給されると、受信部３２においては、電話信号ＳＤＲについての周波数変換及びその他の処理が行われて、ディジタル位相変調信号ＳＸＤが形成され、それが復調部３３に供給される。復調部３３においては、ディジタル位相変調信号ＳＸＤに対しての復調が行われ、復調部３３から、ディジタル位相変調信号ＳＸＤに基づく受信多重合成データＤＲＸが得られ、それが時分割多重処理部３４に供給される。
【００３４】
時分割多重処理部３４においては、制御ユニット２１からの動作制御信号ＣＭＳに応じた信号処理動作が行われて、復調部３３からの受信多重合成データＤＲＸから、再生音声データＤＣＢ，制御情報データＤＩＤ等が分離されて得られる。そして、制御情報データＤＩＤは制御ユニット２１に供給され、再生音声データＤＣＢは、符号化／復号化部３５に供給される。制御ユニット２１においては、制御情報データＤＩＤに応じた、動作制御信号ＣＭＳの形成及び送出等を含む各種の制御動作が行われる。
【００３５】
再生音声データＤＣＢが供給される符号化／復号化部３５においては、再生音声データＤＣＢについての復号化が行われて、再生音声データＤＣＢに基づく再生ディジタル音声信号ＤＢが得られ、それがディジタル／アナログ（Ｄ／Ａ）変換部３６に供給される。Ｄ／Ａ変換部３６においては、再生ディジタル音声信号ＤＢにアナログ化処理が施されて、再生ディジタル音声信号ＤＢに基づく再生音声信号ＱＢが得られ、それがレベル調整部３７を経てスピーカ３８に供給される。その結果、スピーカ３８から再生音声データＤＣＢに基づく音声が発せられる。レベル調整部３７には、制御ユニット２１からのレベル制御信号ＣＳＷが供給されており、レベル調整部３７において、再生音声信号ＱＢのレベルがレベル制御信号ＣＳＷに応じて調整される。
【００３６】
さらに、このようなもとで、マイクロフォン４１からそれに対する音声入力に応じて得られる音声信号ＱＡが、レベル調整部４２を経てアナログ／ディジタル（Ａ／Ｄ）変換部４３に供給されると、Ａ／Ｄ変換部４３から、音声信号ＱＡがディジタル化されて得られるディジタル音声信号ＤＡが送出される。レベル調整部４２には、制御ユニット２１からのレベル制御信号ＣＳＷが供給されており、レベル調整部４２においては、音声信号ＱＡのレベルがレベル制御信号ＣＳＷに応じて調整される。そして、ディジタル音声信号ＤＡは、符号化／復号化部３５に供給される。Ａ／Ｄ変換部４３からのディジタル音声信号ＤＡが供給される符号化／復号化部３５においては、ディジタル音声信号ＤＡに基づき、符号化された音声データＤＣＡが得られて、それが時分割多重処理部３４に供給される。
【００３７】
時分割多重処理部３４には、制御ユニット２１からの制御情報データＤＯＤも供給される。そして、時分割多重処理部３４において、制御ユニット２１からの制御情報データＤＯＤ及び符号化／復号化部３５からの符号化された音声データＤＣＡが時分割多重されて多重合成データＤＴＸが形成され、その多重合成データＤＴＸが変調部４４に供給される。
【００３８】
変調部４４においては、多重合成データＤＴＸを変調データとする変調が行われ、変調部４４から、多重合成データＤＴＸに基づく所定の搬送周波数を有したディジタル位相変調信号ＳＸＭが得られ、それが送信部４５に供給される。送信部４５においては、ディジタル位相変調信号ＳＸＭについての周波数変換及びその他の処理が行われて、符号化された音声データＤＣＡに応じた送信データ信号である送信用の電話信号ＳＤＴが形成され、それが送受分波器３１に供給される。そして、送受分波器３１に供給された送信部４５からの電話信号ＳＤＴが、送受信アンテナ１９を通じてローカル無線局へと無線送信される。
【００３９】
このようにして、スピーカ３８及びマイクロフィン４１を通じての送受話が行われる。なお、相手側に対する通話呼出しが行われる場合には、タッチパネル部１５に対する接触操作が行われて、タッチパネル部１５から制御ユニット２１に供給される操作出力信号ＳＵが、通話呼出しを指示するものとされる。そして、制御ユニット２１から、操作出力信号ＳＵがあらわす電話番号に応じた呼出しダイヤルデータを含んだ制御情報データＤＯＤが時分割多重処理部３４に供給される。その結果、送信部４５において、呼出しダイヤルデータを内容とする送信用の電話信号ＳＤＴが形成され、それが送受分波器３１及び送受信アンテナ１９を通じてローカル局へと無線送信されて、通話呼出しが行われる。
【００４０】
斯かるもとで、送受分波器３１，受信部３２，復調部３３及び時分割多重処理部３４を含む部分によって受信処理部が形成されており、また、時分割多重処理部３４，変調部４４，送信部４５及び送受分波器３１を含む部分によって送信処理部が形成されている。また、符号化／復号化部３５，Ｄ／Ａ変換部３６，レベル調整部３７及びスピーカ３８を含む部分によって音声再生部が形成されており、マイクロフォン４１，レベル調整部４２，Ａ／Ｄ変換部４３及び符号化／復号化部３５を含む部分によって音声データ形成部が形成されている。
【００４１】
また、地図情報提供動作が行われる状態は、図２に示される如くに、画像表示部１４において電話操作用画面が得られているもとで、画像表示部１４内に形成される操作キー（“Map" と表示されている) とされた画面切替操作部２６が操作されることによって設定される。画面切替操作部２６が操作されて地図情報提供動作が行われる状態が取られるときには、タッチパネル部１５から制御ユニット２１に、画像表示部１４に地図情報提供動作を指示するものとされた操作出力信号ＳＵが供給される。
【００４２】
地図情報提供動作が行われる状態がとられたもとにあっては、制御ユニット２１から、地図表示画面に対応するものとされた画面切替制御信号ＣＶが映像信号形成部２２に供給される。映像信号形成部２２においては、地図表示画面に対応するものとされた画面切替制御信号ＣＶに応じて、地図表示画面を表示するための映像信号が形成される状態がとられる。
【００４３】
また、このとき、制御ユニット２１は、地図データメモリ部５１に読出制御信号ＣＲＭを供給する。地図データメモリ部５１は、例えば、データの格納及び読出しを任意に行うことができる半導体メモリ素子により構成されていて、選択された地域の地図をあらわす地図データＤＭが予め格納されたものとされる。地図データメモリ部５１における地図データＤＭの格納は、格納されるべき地図データＤＭが制御ユニット２１を通じて地図データメモリ部５１に供給されるとともに、制御ユニット２１から地図データメモリ部５１に書込制御信号ＣＷＭが供給され、地図データメモリ部５１に地図データＤＭが書込制御信号ＣＷＭに従って書き込まれることによって行われる。従って、地図データメモリ部５１は、それに格納される地図データの更新が可能とされるものである。
【００４４】
制御ユニット２１からの読出制御信号ＣＲＭが供給される地図データメモリ部５１においては、それに格納されている地図データＤＭが読出制御信号ＣＲＭに従って読み出され、読み出された地図データＤＭが制御ユニット２１に供給される。このようにして、制御ユニット２１は、地図データメモリ部５１から地図データＤＭが読み出される状態を設定する。そして、制御ユニット２１は、地図データメモリ部５１から読み出された地図データＤＭを、映像信号形成部２２に供給する。また、このとき制御ユニット２１は、カーソルデータＤＣＳも映像信号形成部２２に供給する。
【００４５】
制御ユニット２１から地図データＤＭとカーソルデータＤＣＳとが供給される映像信号形成部２２においては、地図データＤＭに対応する映像信号ＳＶとカーソルデータＤＣＳに対応するカーソル映像信号ＳＣＳとが形成され、これらの映像信号ＳＶ及びカーソル映像信号ＳＣＳが画像表示部１４に供給される。画像表示部１４においては、映像信号ＳＶに基づく地図、即ち、地図データＤＭがあらわす地図が画像表示されて、図３に示される画像表示部１４において見られる如くの地図表示画面が得られる。また、画像表示部１４においては、カーソル映像信号ＳＣＳに基づくカーソル、即ち、カーソルデータＤＣＳがあらわすカーソルも表示される（図３に示される画像表示部１４における矢印１４Ｃ）。
【００４６】
画像表示部１４により画像表示される地図は、例えば、入力操作部２５における所定の操作に応じて、その縮尺が変更せしめられる。その際には、制御ユニット２１が、入力操作部２５からの縮尺の変更を指示する操作入力データＤＫに応じて、地図データメモリ部５１から読み出された地図データＤＭに変更を加え、その結果、画像表示部１４により画像表示される地図の縮尺が変更されて、画像表示部１４により画像表示される地図上の地域範囲が変更されるようになす。
【００４７】
斯かるもとで、例えば、入力操作部２５において所定の操作が行われると、それにより入力操作部２５から制御ユニット２１に供給される操作入力データＤＫに応じて、制御ユニット２１から位置検出部５２にそれを動作状態とするための制御信号ＣＧＰが供給される。位置検出部５２は、人工衛星が用いられた電波航法システムであるグローバル・ポジショニング・システム（ＧＰＳ）における人工衛星からのＧＰＳ信号を利用して、位置検出部５２が備えられた図１に示される例の現在位置を検出する。
【００４８】
制御ユニット２１からの制御信号ＣＧＰに応じて動作状態におかれた位置検出部５２にあっては、ＧＰＳ用アンテナ２０を通じて受けられたＧＰＳ信号に、ＧＰＳ信号受信処理部５３による処理が施されて得られるＧＰＳ出力信号ＳＧが、現在位置検出ユニット５４に供給される。現在位置検出ユニット５４においては、ＧＰＳ信号受信処理部５３からのＧＰＳ出力信号ＳＧに基づいて、位置検出部５２が備えられた図１に示される例の現在位置が検出され、検出された現在位置に関する位置データＤＰが形成される。そして、現在位置検出ユニット５４から、図１に示される例の現在位置をあらわす位置データＤＰが得られて、それが制御ユニット２１に供給される。
【００４９】
このようにして、制御ユニット２１は、位置検出部５２により図１に示される例の現在位置が検出され、検出された図１に示される例の現在位置をあらわす位置データＤＰが位置検出部５２から供給される状態を設定する。そして、制御ユニット２１は、位置検出部５２から得られる位置データＤＰを、映像信号形成部２２に供給する。
【００５０】
制御ユニット２１から位置データＤＰが供給される映像信号形成部２２においては、地図データメモリ部５１から読み出された地図データＤＭに加えて、位置検出部５２からの位置データＤＰにも対応する映像信号ＳＶが形成され、その映像信号ＳＶとカーソルデータＤＣＳに対応するカーソル映像信号ＳＣＳとが画像表示部１４に供給される。それにより、画像表示部１４においては、地図データＤＭがあらわす地図が画像表示されるとともに、地図に重畳されて位置データＤＰがあらわす現在位置についての画像表示が行われ、さらに、カーソルデータＤＣＳがあらわすカーソルが表示される。
【００５１】
このような地図情報提供動作が行われ、画像表示部１４において地図表示画面が得られているもとにあっても、必要に応じて、通話交信動作が行われる状態が維持される。即ち、通話交信動作が行われる状態は、画像表示部１４において地図表示画面が得られているもとにおいても継続可能とされるのである。そして、画像表示部１４において地図表示画面が得られているもとで、画像表示部１４内に形成される操作キーとされた画面切替操作部２６が操作されて、通話交信動作が行われる状態がとられるとともに画像表示部１４において電話操作用画面が得られる状態とされるとき、及び、画像表示部１４において電話操作用画面が得られているもとで、画像表示部１４内に形成される操作キーとされた画面切替操作部２６が操作されて、地図情報提供動作が行われる状態がとられるとき、制御ユニット２１は、レベル調整部３７及び４２の夫々に供給するレベル制御信号ＣＳＷを変化させる。
【００５２】
斯かるレベル制御信号ＣＳＷの変化は、例えば、画像表示部１４において地図表示画面が得られているもとで、画像表示部１４内に形成される操作キーとされた画面切替操作部２６が操作されるとき、レベル調整部３７において調整される再生音声信号ＱＢのレベルが低減されるとともに、レベル調整部４２において調整される音声信号ＱＡのレベルが低減されるようにされ、また、画像表示部１４において電話操作用画面が得られているもとで、画像表示部１４内に形成される操作キーとされた画面切替操作部２６が操作されるとき、レベル調整部３７において調整される再生音声信号ＱＢのレベルが増大されるとともに、レベル調整部４２において調整される音声信号ＱＡのレベルが増大されるようにされる。
【００５３】
制御ユニット２１からのレベル制御信号ＣＳＷによって再生音声信号ＱＢのレベル及び音声信号ＱＡのレベルが上述の如くに増減調整されるのは、画像表示部１４において電話操作用画面が得られているもとで通話交信動作が行われる場合には、スピーカ３８及びマイクロフォン４１が、使用者に近接せしめられて使用され、それに対して、画像表示部１４において地図表示画面が得られているもとで通話交信動作が行われる場合には、スピーカ３８及びマイクロフォン４１が、使用者から離隔せしめられ、所謂、ハンズフリーの状態とされて使用されると考えられるからである。
【００５４】
地図情報提供動作が行われているとき、地図表示画面が得られている画像表示部１４内に形成される操作キーとされた位置データ送信操作部２７が操作されると、それに応じて、タッチパネル部１５から制御ユニット２１に供給される操作出力信号ＳＵが位置データ送信を指示するものとされる。
【００５５】
このとき制御ユニット２１は、位置データ送信を指示する操作出力信号ＳＵに応じて、通話交信動作が行われる状態が維持されている場合には直ちに、また、通話交信動作が行われる状態が維持されていないときには、時分割多重処理部３４に対する動作制御信号ＣＭＳの供給等を行って、通話交信動作が行われる状態とした後、位置検出部５２から得られる位置データＤＰ及び制御情報データＤＯＤを時分割多重処理部３４に供給する。それにより、時分割多重処理部３４から、位置データＤＰ及び制御情報データＤＯＤに応じた多重合成データＤＴＸが変調部４４へと送出され、その結果、送信部４５において、位置データＤＰに応じた送信データ信号である、位置データＤＰを内容とする送信用の電話信号ＳＤＴが形成され、それが送受分波器３１及び送受信アンテナ１９を通じてローカル局へと無線送信される。
【００５６】
また、地図情報提供動作が行われているとき、地図表示画面が得られている画像表示部１４内に形成される操作キーとされた位置データ要求操作部２８が操作されると、それに応じて、タッチパネル部１５から制御ユニット２１に供給される操作出力信号ＳＵが位置データ要求を指示するものとされる。
【００５７】
このとき制御ユニット２１は、位置データ要求を指示する操作出力信号ＳＵに応じて、通話交信動作が行われる状態が維持されている場合には直ちに、また、通話交信動作が行われる状態が維持されていないときには、時分割多重処理部３４に対する動作制御信号ＣＭＳの供給等を行って、通話交信動作が行われる状態とした後、交信の相手側の位置をあらわす外部位置データに応じた外部データ信号の送信を要求する送信要求データを含んだ制御情報データＤＯＤを時分割多重処理部３４に供給する。それにより、時分割多重処理部３４から、送信要求データを含んだ制御情報データＤＯＤに応じた多重合成データＤＴＸが変調部４４へと送出され、その結果、送信部４５において、送信要求データに応じた送信データ信号である、送信要求データを内容とする送信用の電話信号ＳＤＴが形成され、それが送受分波器３１及び送受信アンテナ１９を通じてローカル局へと無線送信される。
【００５８】
なお、送信要求データに応答したものとして、交信の相手側の位置をあらわす外部位置データに応じた外部データ信号がローカル局から送信されるときには、それが電話信号ＳＤＲとして受信部３２により受信され、その結果、時分割多重処理部３４から、外部位置データＤＺが得られて、制御ユニット２１に供給される。制御ユニット２１は、時分割多重処理部３４から得られる外部位置データＤＺを、映像信号形成部２２に供給する。
【００５９】
制御ユニット２１から外部位置データＤＺが供給される映像信号形成部２２においては、地図データメモリ部５１から読み出された地図データＤＭに加えて、外部位置データＤＺにも対応する映像信号ＳＶが形成され、その映像信号ＳＶとカーソルデータＤＣＳに対応するカーソル映像信号ＳＣＳとが画像表示部１４に供給される。それにより、画像表示部１４においては、地図データＤＭがあらわす地図が画像表示されるとともに、地図に重畳されて外部位置データＤＺがあらわす交信の相手側の位置についての画像表示が行われ、さらに、カーソルデータＤＣＳがあらわすカーソルが表示される。
【００６０】
さらに、地図情報提供動作が行われているとき、入力操作部２５が操作されて、地図表示画面が得られている画像表示部１４において、画像表示された地図上の特定の位置に画像表示されたカーソルが合わされ、その特定の位置が選択される動作が行われると、制御ユニット２１から電話番号データメモリ部５５に、画像表示部１４により画像表示された地図上において選択された位置に対応する電話番号データを読み出すための読出制御信号ＣＲＮを供給する。電話番号データメモリ部５５は、例えば、データの格納及び読出を任意に行うことができる半導体メモリ素子により構成されていて、画像表示部１４により画像表示される地図上の多数の位置に夫々対応する多数の電話番号データＤＮが予め格納されたものとされることに加えて、制御ユニット２１からの書込制御信号ＣＷＮに従って、新たに書き込まれた電話番号データＤＮを格納することができるものとされている。
【００６１】
制御ユニット２１からの読出制御信号ＣＲＮが供給される電話番号データメモリ部５５においては、それに格納されている多数の電話番号データＤＮのうちの画像表示部１４により画像表示された地図上において選択された位置に対応する電話番号データが、読出制御信号ＣＲＮに従って読み出され、読み出された電話番号データＤＮが制御ユニット２１に供給される。このとき制御ユニットは、電話番号データメモリ部５５から読み出された電話番号データＤＮを、映像信号形成部２２に供給するとともに、通話交信動作が行われる状態が維持されている場合には直ちに、また、通話交信動作が行われる状態が維持されていないときには、時分割多重処理部３４に対する動作制御信号ＣＭＳの供給等を行って、通話交信動作が行われる状態とした後、電話番号データメモリ部５５から読み出された電話番号データＤＮがあらわす電話番号に応じた呼出しダイヤルデータＤＮＮ及び制御情報データＤＯＤを時分割多重処理部３４に供給する。
【００６２】
制御ユニット２１から電話番号データＤＮが供給される映像信号形成部２２においては、地図データメモリ部５１から読み出された地図データＤＭに加えて、電話番号データメモリ部５５から読み出された電話番号データＤＮにも対応する映像信号ＳＶが形成され、その映像信号ＳＶとカーソルデータＤＣＳに対応するカーソル映像信号ＳＣＳとが画像表示部１４に供給される。それにより、画像表示部１４においては、地図データＤＭがあらわす地図が画像表示されるとともに、地図に重畳されて電話番号データＤＮがあらわす電話番号についての画像表示が行われ、さらに、カーソルデータＤＣＳがあらわすカーソルが表示される。
【００６３】
また、制御ユニット２１から呼出しダイヤルデータＤＮＮ及び制御情報データＤＯＤが供給される時分割多重処理部３４にあっては、呼出しダイヤルデータＤＮＮ及び制御情報データＤＯＤに応じた多重合成データＤＴＸが形成されて、それが変調部４４へと送出される。その結果、送信部４５において、電話番号データＤＮがあらわす電話番号に応じた呼出しダイヤルデータＤＮＮを内容とする送信用の電話信号ＳＤＴが形成され、それが送受分波器３１及び送受信アンテナ１９を通じてローカル局へと無線送信されて、電話番号データＤＮがあらわす電話番号に対する通話呼出しが行われる。
【００６４】
このようにして、制御ユニット２１は、画像表示部１４により画像表示された地図上において選択された位置に対応する電話番号データＤＮが電話番号データメモリ部５５から読み出されて、その読み出された電話番号データＤＮがあらわす電話番号に対する通話呼出しが行われる状態を設定する。
【００６５】
【発明の効果】
以上の説明から明らかな如く、本願の特許請求の範囲における請求項１もしくは２に記載された発明に係る画像表示部付携帯電話装置にあっては、送信処理部と受信処理部とによって、音声データに応じた送信データ信号の送受信アンテナ部を通じた無線送信と、送受信アンテナ部を通じて得られる外部データ信号に基づく再生音声データを得る無線受信とが行われるとともに、地図データメモリ部と画像表示部と制御部とにより、メモリ部に格納された地図データがあらわす地図の画像表示が行われ、さらに、画像表示部に電話操作用画面と地図表示画面とが選択的に得られる状態を設定するための画面切替操作部の操作に連動して、制御部による、再生音声データに基づいて得られる再生音声のレベル設定状態の切換えが行われる。従って、請求項１もしくは２に記載された発明に係る画像表示部付携帯電話装置によれば、音声データに応じた送信データ信号及び外部データ信号とされる電話信号の送受信を行えるとともに、画像表示部において地図情報を視覚的情報として得ることができ、さらに、その全体が使用者により保持されて、使用者に近接せしめられて使用される場合、及び、その全体が使用者により保持されることなく、使用者から離隔せしめられて使用される場合のいずれにおいても、電話信号の送受信が適正に行われることになる。
【００６６】
本願の特許請求の範囲における請求項３に記載された発明に係る画像表示部付携帯電話装置によれば、電話信号の送受信を行えるとともに、画像表示部において地図情報を視覚的情報として得ることができ、さらに、画像表示部に電話操作用画面と地図表示画面とが選択的に得られる状態を設定するための画面切替操作部の操作に連動して、再生音声データに基づいて得られる再生音声のレベル設定状態の切換えを行えるだけでなく、画像表示部においてその現在位置をあらわす画像表示を行うこともできる。
【００６７】
本願の特許請求の範囲における請求項４に記載された発明に係る画像表示部付携帯電話装置によれば、電話信号の送受信を行えるとともに、画像表示部において地図情報を視覚的情報として得ることができ、さらに、画像表示部に電話操作用画面と地図表示画面とが選択的に得られる状態を設定するための画面切替操作部の操作に連動して、再生音声データに基づいて得られる再生音声のレベル設定状態の切換えを行えるだけでなく、画像表示部において外部位置データに対応する位置をあらわす画像表示を行うこともできる。
【００６８】
本願の特許請求の範囲における請求項５に記載された発明に係る画像表示部付携帯電話装置によれば、電話信号の送受信を行えるとともに、画像表示部において地図情報を視覚的情報として得ることができ、さらに、画像表示部に電話操作用画面と地図表示画面とが選択的に得られる状態を設定するための画面切替操作部の操作に連動して、再生音声データに基づいて得られる再生音声のレベル設定状態の切換えを行えるだけでなく、画像表示部における地図の表示範囲を調整でき、それにより、例えば、画像表示部における地図の画像表示に重ねての現在位置をあらわす画像表示，外部位置データに対応する位置をあらわす画像表示等を、確実に行うことができることになる。
【００６９】
本願の特許請求の範囲における請求項６に記載された発明に係る画像表示部付携帯電話装置によれば、電話信号の送受信を行えるとともに、画像表示部において地図情報を視覚的情報として得ることができ、さらに、画像表示部に電話操作用画面と地図表示画面とが選択的に得られる状態を設定するための画面切替操作部の操作に連動して、再生音声データに基づいて得られる再生音声のレベル設定状態の切換えを行えるだけでなく、画像表示部において画像表示された地図上の任意に選択された位置に対応する位置データについての無線送信を行えることになる。
【００７２】
本願の特許請求の範囲における請求項７に記載された発明に係る画像表示部付携帯電話装置によれば、電話信号の送受信を行えるとともに、画像表示部において地図情報を視覚的情報として得ることができ、さらに、画像表示部に電話操作用画面と地図表示画面とが選択的に得られる状態を設定するための画面切替操作部の操作に連動して、再生音声データに基づいて得られる再生音声のレベル設定状態の切換えを行えるだけでなく、位置データ送信操作部の操作により、装置の現在位置をあらわす現在位置データについての無線送信を行うことができる。
【００７３】
本願の特許請求の範囲における請求項８に記載された発明に係る画像表示部付携帯電話装置によれば、電話信号の送受信を行えるとともに、画像表示部において地図情報を視覚的情報として得ることができ、さらに、画像表示部に電話操作用画面と地図表示画面とが選択的に得られる状態を設定するための画面切替操作部の操作に連動して、再生音声データに基づいて得られる再生音声のレベル設定状態の切換えを行えるだけでなく、位置データ要求操作部の操作により、外部に対しての外部位置データに応じた外部データ信号の送信要求を行える。
【００７４】
本願の特許請求の範囲における請求項９または１０に記載された発明に係る画像表示部付携帯電話装置によれば、電話信号の送受信を行えるとともに、画像表示部において地図情報を視覚的情報として得ることができ、さらに、画像表示部に電話操作用画面と地図表示画面とが選択的に得られる状態を設定するための画面切替操作部の操作に連動して、再生音声データに基づいて得られる再生音声のレベル設定状態の切換えを行えるだけでなく、例えば、画像表示部において画像表示された地図上の位置を選択したとき、その選択された位置に対応する電話番号データを得て、それがあらわす電話番号に対する呼出しを行えることになる。
【図面の簡単な説明】
【図１】  本願の特許請求の範囲における請求項１から１０までのいずれかに記載された発明に係る画像表示部付携帯電話装置の一例の構成を示すブロック構成図である。
【図２】  本願の特許請求の範囲における請求項１から１０までのいずれかに記載された発明に係る画像表示部付携帯電話装置の一例の外観を示す平面図である。
【図３】  本願の特許請求の範囲における請求項１から１０までのいずれかに記載された発明に係る画像表示部付携帯電話装置の一例の外観を示す平面図である。
【符号の説明】
１１  ケース部
１２  マイクロフォン格納部
１３  スピーカ格納部
１４  画像表示部
１５  タッチパネル部
１６，１７，１８  操作部
１９  送受信アンテナ
２０  ＧＰＳ用アンテナ
２１  制御ユニット
２２  映像信号形成部
２５  入力操作部
２６  画面切替操作部
２７  位置データ送信操作部
２８  位置データ要求操作部
３１  送受分波器
３２受信部
３３  復調部
３４  時分割多重処理部
３５  符号化／復号化部
３６  Ｄ／Ａ変換部
３７，４２  レベル調整部
３８  スピーカ
４１  マイクロフォン
４３  Ａ／Ｄ変換部
４４  変調部
４５  送信部
５１  地図データメモリ部
５２  位置検出部
５３  ＧＰＳ信号受信処理部
５４  現在位置検出ユニット
５５  電話番号データメモリ部
【図１】
0003758295.tif 000002
【図２】
0003758295.tif 000003
【図３】
0003758295.tif 000004